(57)【特許請求の範囲】
【請求項１】
透明または半透明の合成樹脂により一体成形した外容器と、この内側に挿入されて合成樹脂により一体成形した内容器との間に形成される空間内に、装飾紙筒を内装して構成される二重容器であって、
前記内容器と外容器とを、その開口部にて嵌合させるにあたり、少なくとも、前記外容器側の上縁フランジの全体を前記内容器側の上縁フランジによって包み込むことにより行って、これらの内外両容器を一体化するとともに、
前記内容器の外側周縁、または外容器の内側周縁に、前記装飾紙筒の上端縁を直接押圧することになる段部を形成し、
さらに、前記装飾紙筒の上端縁を前記段部に、下端縁を前記外容器内の底面に当接させて、両外容器及び内容器を前記装飾紙筒によって保持させたことを特徴とする二重容器。
【発明の詳細な説明】
【０００１】
【産業上の利用分野】
本発明は、合成樹脂の内外両容器を備えた二重容器に関し、特に、両容器間に形成される空間内に装飾紙筒を内蔵してなる二重容器に関するものである。
【０００２】
【従来の技術】
二重容器は、所謂インスタントラーメンのための容器として多く用いられており、内外両容器を合成樹脂シート等によって薄く形成してもその間に断熱作用を発揮する空気層を形成できて、熱湯を注いでも十分手に持つことができるため、非常に便利なものである。
【０００３】
ところで、この種の二重容器を商品化するにあたっては、その側面等に商品名や内容物の表示等を行わなければならないが、そのような表示等を行うためには、上述した合成樹脂製の容器ではなかなか困難となっている。このため、例えば実公平２−１５８１８号公報にて提案されている「複合容器の本体」のように、
「底部と胴部と開口端部とから成る合成樹脂製の外容器と、この外容器と略同形状であってその内側に挿入される合成樹脂製の内容器と、これらの外容器と内容器との間に挿入される紙筒からなり、これらの外容器と紙筒と内容器とは少なくとも紙筒と内容器との間が遊離しており、前記内容器は内部の減圧に追随して撓むことが可能であり、前記外容器と内容器との開口端部は互いに一体化」
することが行われている。
【０００４】
この実公平２−１５８１８号公報に示された容器では、図８に示すように、内外両容器２及び１との間に紙筒３を介在させたものであり、紙筒３に印刷等の簡単な方法によって各種表示をしておけば、印刷等のしにくい外容器１に直接行わなくても当該容器での表示を行えることになるものである。
【０００５】
ところで、この実公平２−１５８１８号公報に示された容器では、当該公報の第４欄第３２行目以下に記載されているように、「（紙筒３を密封するために）鍔部１３と２３とは互いに接着し」てあるものである。また、外容器１を紙筒３によって保持するために、加熱シール等の手段によって、外容器１と紙筒３とを部分的あるいは全面的に接着して構成することも記載されている。
【０００６】
いずれにしても、図８に示した従来の二重容器では、外容器１に対して内容器２または紙筒３を接着するものであり、熱湯を内容器２に注いだときに両容器間の空気が膨張して容器全体の変形を来すおそれがある。それだけでなく、図８に示した二重容器では、外容器１に対して内容器２または紙筒３を接着するものであるため、材料が異なる紙筒３を他のものと簡単には分離できないものとなっている。つまり、この従来の二重容器は、異質な材料から一体化されていることから、合成樹脂のリサイクルを考えた場合、その手間は非常に大きくなって、結果的にリサイクルができないものとなっていると考えられるのである。
【０００７】
また、この種の二重容器の製造工程について考慮してみると、一般的には完成後の二重容器内に中味を詰める直前において、別々に用意された内外容器と紙筒とを組み合わせて形成されるものである。このような製造状況を考慮して、二重容器の材料構成を決めておかなければならない。
【０００８】
さらに、図８に示した従来の二重容器では、図示右方下部に拡大して示されているように、紙筒３の上端に空間が存在しているため、内外両容器１３・２３に力が加えられたとき、この空間の範囲で両容器１３・２３の変形が生じ易い。従って、この図８の二重容器では、この変形を原因として簡単に座屈してしまうと考えられるのである。
【０００９】
以上のことをまとめると、この種の二重容器においては、次のような条件を満たすことが要望されているのである。
（１）所謂リサイクル法に適合する容器とするために、リサイクルする際の作業性を考慮した構造のものとしなければならない。つまり、材料の種類に応じた分割が行えるようにしておかなければならないのである。
（２）上記（１）を守りながら、簡単に製造できるものとしなければならない。
（３）当然のことながら、断熱性と、容器として必要な剛性を十分備えたものでなければならない。
【００１０】
そこで、本発明者は、この種の二重容器において、少なくとも上記（１）〜（３）の要望を満たすにはどうしたらよいか、について種々検討を重ねてきた結果、本発明を完成したのである。
【００１１】
【発明が解決しようとする課題】
本発明は、この種の二重容器における上記実状に鑑みてなされたもので、その解決しようとする課題は、この種の二重容器を、リサイクルがし易くて剛性の高いものとすることである。
【００１２】
すなわち、まず、本発明の目的とするところは、その製造を簡単に行えることができて、しかも使用済のもののリサイクルを行う場合の仕分作業を簡単に行うことのできる二重容器を、簡単な構成によって提供することにある。
【００１３】
また、本発明の目的とするところは、内外両容器が比較的柔らかいものであったとしても、十分な剛性を有することのできる二重容器を提供することにある。
【００１４】
【課題を解決するための手段】
以上の課題を解決するために、本発明の採った手段は、後述する実施の形態の説明中において使用する符号を付して説明すると、
「透明または半透明の合成樹脂により一体成形した外容器１０と、この内側に挿入されて合成樹脂により一体成形した内容器２０との間に形成される空間４０内に、装飾紙筒３０を内装して構成される二重容器１００であって、
内容器２０と外容器１０とを、その開口部にて嵌合させるにあたり、少なくとも、外容器１０側の上縁フランジ１１の全体を内容器２０側の上縁フランジ２１によって包み込むことにより行って、これらの内外両容器２０・１０を一体化するとともに、
内容器２０の外側周縁、または外容器１０の内側周縁に、装飾紙筒３０の上端縁を直接押圧することになる段部２３または１５を形成し、
さらに、装飾紙筒３０の上端縁を段部２３または１５に、下端縁を外容器１０内の底面に当接させて、両外容器１０及び内容器２０を装飾紙筒３０によって保持させたことを特徴とする二重容器１００」
である。
【００１５】
すなわち、この二重容器１００は、外容器１０と、その中に挿入される内容器２０と、これら外容器１０及び内容器２０によって側部に形成される空間４０内に内装される装飾紙筒３０とを備えたものであり、これら三者の一体化を、内容器２０と外容器１０との開口部にての嵌合により行ったものであるが、その際に、少なくとも、外容器１０側の上縁フランジ１１の全体を内容器２０側の上縁フランジ２１によって包み込むようにしながら行うこと条件としているものである。
【００１６】
この内容器２０と外容器１０との開口部にての嵌合方法は、後述する実施の形態において説明している例としては、次の四種類の具体的方法が挙げられるのであるが、本発明はこれら四種類の嵌合の内の、少なくとも下記４）．を採用することを条件にするものである。
１）．図３の上端部分にて示すように、内容器２０の開口部に存在している上縁フランジ２１に形成した係止部２２を、外容器１０側の上縁フランジ１１の外周に係合させることにより行った第一の嵌合。
２）．図３の上部部分にて示すように、両上縁フランジ１１・２１の直下に連なる両アンダーカット部１３・２４（上部が下部より大径となっている部分）間の強制嵌合により行った第二の嵌合。
３）．図３または図５に示した両アンダーカット部１３・２４の直下に位置する嵌合溝１４・２５間の強制嵌合により行った第三の嵌合。
４）．図４に示すように、内容器２０の上縁フランジ２１によって、外容器１０側の上縁フランジ１１の全体を包み込むことにより行った第四の嵌合。
【００１７】
すなわち、本発明における内容器２０と外容器１０との開口部にての嵌合方法においては、少なくとも、内容器２０側の上縁フランジ２１によって、図４に示すように、外容器１０側の上縁フランジ１１の全体を上方から包み込むようにして行えるようにしたことを条件にするものであり、このようにすることによって、後述する係止部２２を設けなくても、外容器１０の開口部に対する内容器２０の開口部の嵌合が行えるのである。
【００１８】
外容器１０及び内容器２０側の上部におけるアンダーカット部１３・２４や嵌合溝１４・２５、内容器２０側の上縁フランジ２１の外周縁に位置する係止部２２は、型による成形が簡単に行えるものであり、これらの係合あるいは嵌合は、外容器１０に対して内容器２０を押圧することにより簡単に行えるものである。従って、この二重容器１００によれば、外容器１０及び内容器２０の開口部にての嵌合は、溶着工程、接着工程、あるいは加熱シール等の別工程を必要とせずに非常に簡単に行うことができるのである。
【００１９】
また、内外容器１０・２０を一体化する前においては、これらの内外容器１０・２０及び装飾紙筒３０をそれぞれ別個に梱包しておくことができるため、各部品の収納スペースが少なくて済むものとなっている。
【００２０】
さらに、内外容器１０・２０の一体化を、その上端の開口部にての単なる嵌合によって行う、特に、内容器２０側の上縁フランジ２１によって、外容器１０側の上縁フランジ１１の全体を上方から包み込むようにして行うようにしているため、使用後の二重容器１００について、これを合成樹脂である外容器１０及び内容器２０に対して、文字通りの紙である装飾紙筒３０を分離するため仕分の作業を簡単に行えるということを意味している。
【００２１】
すなわち、内外容器１０・２０の上端の開口部にての嵌合解除は、これを機械的にするにしろ手作業で行うにしろ、溶着・接着したのとは異なって、内容器２０側の上縁フランジ２１を、外容器１０側の上縁フランジ１１から単に外すという非常に簡単な操作によって行えるのである。しかも、装飾紙筒３０は、外容器１０と内容器２０との間に形成される空間４０内に単に内装されているだけであるから、外容器１０と内容器２０との嵌合を解けば非常に簡単に取り外すことができるのである。
【００２２】
従って、この二重容器１００によれば、まず、合成樹脂から形成されている外容器１０及び内容器２０と、紙から形成されている装飾紙筒３０との仕分を非常に簡単に行うことができるのであり、これらの合成樹脂や紙は、低コストで確実にリサイクルに回せることになるのである。
【００２３】
勿論、この二重容器１００は、外容器１０と内容器２０とによって形成された空間４０内に装飾紙筒３０を内装したものであるから、内容器２０内に熱湯を注入したときに手で十分持つことのできる断熱性と、内容器２０内のものを早く冷めないようにすることのできる保温性とを有している。また、装飾紙筒３０の表面には表示３１等の印刷が鮮明かつ簡単に行えるから、外容器１０や内容器２０には表示印刷を施す必要が全くなく、装飾紙筒３０上の表示３１は、透明または半透明の外容器１０から十分透けて見えて、必要な表示を十分行うことができるのである。
【００２４】
また、外容器１０や内容器２０を薄い材料によって形成したとしても、これらの中の空間４０内に挿入されている装飾紙筒３０によって、二重容器１００全体の剛性が確保されているため、当該二重容器１００は、使用中に座屈してしまうようなことはない。従って、外容器１０や内容器２０の材料を少なくして、軽量化を図ることもできるのである。
【００２５】
さらに、実施形態におけるように、外容器１０、内容器２０、及び装飾紙筒３０を、下部に向かって小径となるような傾斜側面を有するものとすれば、それぞれを少ないスペースで積み重ねる（スタック）ことができるため、二重容器１００として形成する前段階における保管スペースの省略を行うことができるのである。
【００２６】
また、この二重容器１００は、その内容器２０の外側周縁または外容器１０の内側周縁に、装飾紙筒３０の上端縁を直接押圧することになる段部２３または１５が形成してあった。
【００２７】
すなわち、この二重容器１００は、図３に示すように、その内容器２０の側面に、装飾紙筒３０の上端縁が係合することになる段部２３を形成するか、あるいは、図５に示すように、外容器１０の内側面に、装飾紙筒３０の上端縁が係合することになる段部１５を形成したものであり、これにより、その製造を安定的に行うことができるだけでなく、完成時における座屈強度を増大させることができるのである。
【００２８】
つまり、この二重容器１００を製造する場合には、例えば図１に示すように、外容器１０内に装飾紙筒３０を挿入し、この装飾紙筒３０内に内容器２０を挿入して図示上方から押圧することにより、内容器２０と外容器１０とを、その開口部にて嵌合させて一体化するのである。その際に、図３に示す例では、内容器２０の段部２３によって装飾紙筒３０も外容器１０内に押圧されることになり、また図５に示す例では、外容器１０の段部１５によって装飾紙筒３０も押圧されることになるから、単なる押圧作業のみによって当該二重容器１００が完成されることになり、非常に簡単に製造されることになるのである。このことは、底を上方にしておいた内容器２０に、装飾紙筒３０を嵌合させて、その上から外容器１０を被せて押圧するようにして製造する場合も同様に言えることである。
【００２９】
そして、完成された二重容器１００においては、図２及び図３に示すように、装飾紙筒３０の上端縁は内容器２０側の段部２３に、また装飾紙筒３０の下端縁は外容器１０内の底面に当接しているから、両外容器１０及び内容器２０は装飾紙筒３０によってしっかりと保持された状態となっている。従って、この二重容器１００では、図８に示した従来例のような自由空間は、装飾紙筒３０の上下に全く存在しないため、座屈強度が非常に高いものとなっていて、この二重容器１００は、少々の力では座屈してしまうことがないのである。
【００３０】
【発明の実施の形態】
次に、以上のように構成した本発明を、図面に示した実施の形態に係る二重容器１００について説明する。
【００３１】
図１には、本発明に係る二重容器１００を分解して示した正面図が示してあるが、この二重容器１００は、合成樹脂によって形成した外容器１０及び内容器２０と、これらの間に内装される装飾紙筒３０とを備えているものである。本実施形態では、これら外容器１０、内容器２０、及び装飾紙筒３０を、下方に向けて順次小径となる円筒として形成したものであり、外容器１０及び内容器２０は有底であるが、装飾紙筒３０には底はない。勿論、これらの外容器１０、内容器２０及び装飾紙筒３０は「円筒」に限らず、各形の筒であってもよいことは言うまでもない。
【００３２】
図２には、外容器１０と内容器２０との、その上方に位置する開口部にての嵌合態が断面図で示してあって、これらの外容器１０と内容器２０との間に形成される空間４０内に、装飾紙筒３０が内装されるのである。そして、この実施形態の二重容器１００における嵌合状態と内容器２０側の段部２３による装飾紙筒３０の押圧状態とが、図３に拡大して示してあるが、これらの嵌合あるいは押圧状態は、図４または図５に示すようにも変形される。
【００３３】
外容器１０は、ポリプロピレンを代表とする合成樹脂によって、透明または半透明のものとして有底筒状に一体成型したものであり、上端開口周縁には、図３に示したように、上縁フランジ１１が一体的に形成してある。なお、本実施形態の外容器１０の下部側面には多数の縦リブ１２が形成してあり、この縦リブ１２によって外容器１０の剛性を図るようにしてあるが、この縦リブ１２は内容器２０側に形成して実施してもよいものである。
【００３４】
この外容器１０におけるアンダーカット部１３及び嵌合溝１４は、図５に示すように形成して実施してもよい。この図５に示した例では、嵌合溝１４の直下が段部１５となっているものであり、この段部１５は、装飾紙筒３０の上端縁を直接押圧することになるものである。
【００３５】
また、図３に示した実施形態における外容器１０では、上述した上縁フランジ１１の直下にこれと連なるアンダーカット部１３が形成してあり、このアンダーカット部１３は、その上部が下部に対して小径となるようにしてある。このアンダーカット部１３内には、図３に示したように、後述する内容器２０のアンダーカット部２４が、所謂「無理嵌め」されることになるものである。そして、このアンダーカット部１３の直下には、嵌合溝１４が形成してあり、この嵌合溝１４に対しても、後述の嵌合溝２５が、所謂「無理嵌め」されることになるものである。
【００３６】
内容器２０は、次に述べる装飾紙筒３０の内側に挿入されるものであって、合成樹脂によって有底筒状に一体成形されるものであるが、この合成樹脂材料は、透明または半透明のものである必要は全くなく、その種類が限定されるものではない。
【００３７】
また、この内容器２０の上端開口周縁にも上縁フランジ２１が一体成形されるのであるが、この上縁フランジ２１の外周縁には、図３に示した実施例の場合には、この上縁フランジ２１より内方に向かう係止部２２が、所謂「アンダーカット部」として一体成形してある。勿論、この内容器２０側の上縁フランジ２１は図３に示したように、外容器１０側の上縁フランジ１１上に載置されるものであって、その係止部２２が外容器１０側の上縁フランジ１１の外周に係合されることになるのである。
【００３８】
この内容器２０側の上縁フランジ２１は、図４に示したように形成して実施してもよいものである。すなわち、図４に示した上縁フランジ２１は、外容器１０側の上縁フランジ１１の全体を上方から包み込むようにしたものであり、この場合には、係止部２２を設けなくても、外容器１０の開口部に対する内容器２０の開口部の嵌合が行えるものである。
【００３９】
図３に示した内容器２０では、上記上縁フランジ２１の直下に、これに連なるアンダーカット部２４が連続して形成してあり、このアンダーカット部２４は、その上部が下部に対して小径となるようにしてあるのである。このアンダーカット部２４は、図３に示したように、上述した外容器１０のアンダーカット部１３内に所謂「無理嵌め」されるものである。そして、このアンダーカット部２４の直下には、嵌合溝２５が形成してあり、この嵌合溝２５に対しても、上述した嵌合溝１４が、所謂「無理嵌め」されることになるものである。
【００４０】
また、この内容器２０の側面上部には、図３にも示したように、それより下方側面より大径となる段部２３が形成してあって、この段部２３の下面は、当該内容器２０の底面と略平行となるようにしてある。なお、この内容器２０の側面には、図６及び図７の比較から分るように、外容器１０側に形成してあるような縦リブ１２を形成しないで、滑らかな内面となるようにしてあるが、これは当該内容器２０内に収納されているラーメンやスープ等の取り出しを容易にするためである。
【００４１】
この内容器２０側の段部２３に該当するものは、図５に示した例の場合には、外容器１０側に形成してある。すなわち、図５の二重容器１００では、装飾紙筒３０を押圧するための段部１５を外容器１０側に形成して、内容器２０側の段部２３は省略してある。
【００４２】
勿論、この内容器２０は、外容器１０内に挿入されたとき、図２及び図３に示したように、装飾紙筒３０を内装するための空間４０を形成するものでもあるから、段部２３より下方の側部は外容器１０のそれの内径により、例えば装飾紙筒３０の厚さ分だけ小径となるようにしてある。
【００４３】
装飾紙筒３０は、底のない筒状のものとして、外容器１０及び内容器２０とは別の材料である紙によって形成したものであり、筒状にする前には、表面に図１に示したような表示３１が印刷されるものである。この印刷時においては、当該装飾紙筒３０は文字通り紙によって形成されているため、例えば合成樹脂の表面に対して行う印刷のように、インクの性質に制限を受けるものではなく、環境に悪影響を及ぼすようなインクを使用する必要は全くない。
【００４４】
勿論、この装飾紙筒３０は、文字通りの紙筒の表面に、印刷等によって表示３１を施したフィルムを一体的にしたものも含まれるものであり、所定の剛性が確保できて、美しい仕上がりのものとすることができれば、どのような材質のものであってもよい。
【００４５】
【発明の効果】
以上、詳述した通り、本発明においては、まず、外容器１０に対する内容器２０の一体化を、少なくとも、内容器２０側の上縁フランジ２１によって、外容器１０側の上縁フランジ１１の全体を上方から包み込むようにして行うことを条件にして、両開口部における嵌合によって行うようにしたことにその構成上の特徴があり、これにより、その製造を簡単に行えることができて、しかも使用済のもののリサイクルを行う場合の仕分作業を簡単に行うことのできる二重容器１００を、簡単な構成によって提供することができるのである。
【００４６】
また、本発明に係る二重容器１００では、その内外容器１０・２０の上端の開口部にての嵌合解除は、これを機械的にするにしろ手作業で行うにしろ、溶着・接着したのとは異なって、内容器２０側の上縁フランジ２１を、外容器１０側の上縁フランジ１１から単に外すという非常に簡単な操作によって行うことができる。
【００４７】
また、この二重容器１００によれば、内容器２０の外側周縁、または外容器１０の内側周縁に、装飾紙筒３０の上端縁を直接押圧することになる段部２３・１５を形成したものであるから、内外両容器１０及び２０が比較的柔らかいものであったとしても、十分な剛性を有することのできる二重容器１００を提供することができるのである。
【００４８】
さらに、完成された二重容器１００においては、装飾紙筒３０の上端縁は内容器２０側の段部２３に、また装飾紙筒３０の下端縁は外容器１０内の底面に当接しているから、両外容器１０及び内容器２０は装飾紙筒３０によってしっかりと保持された状態となっている。従って、この二重容器１００では、図８に示した従来例のような自由空間は、装飾紙筒３０の上下に全く存在しないため、座屈強度が非常に高いものとなっていて、この二重容器１００は、少々の力では座屈してしまうことがないのである。
【図面の簡単な説明】
【図１】  本発明に係る二重容器の分解正面図である。
【図２】  同二重容器の縦断面図である。
【図３】  図２中の１−１線部の部分拡大断面図である。
【図４】  内外両容器の他の嵌合例を示す部分拡大断面図である。
【図５】  内外両容器のさらに他の嵌合例を示す部分拡大断面図である。
【図６】  同二重容器を構成している外容器の部分平面図である。
【図７】  同二重容器の上縁フランジの部分平面図である。
【図８】  従来の技術を示すもので、（イ）は分解断面図、（ロ）は断面図であり、（ハ）は（ロ）の部分拡大断面図である。
【符号の説明】
１００  二重容器
１０    外容器
１１    上縁フランジ
１２    縦リブ
１３    アンダーカット部
１４    嵌合溝
１５    段部
２０    内容器
２１    上縁フランジ
２２    係止部
２３    段部
２４    アンダーカット部
２５    嵌合溝
３０    装飾紙筒
３１    表示
４０    空間
【図１】
0004348570.tif 000002
【図２】
0004348570.tif 000003
【図３】
0004348570.tif 000004
【図４】
0004348570.tif 000005
【図５】
0004348570.tif 000006
【図６】
0004348570.tif 000007
【図７】
0004348570.tif 000008
【図８】
0004348570.tif 000009